(57)【要約】【課題】布設経路において屈曲箇所が多くなる場合でも良好な挿通特性を得ることが可能であって、また、機械的強度が向上する線心挿通用パイプ及び複合ケーブルを提供する。【解決手段】線心挿通用パイプ１は、エア圧送方式により光ファイバケーブルや通信線等のケーブル４を挿通することが可能な中空形状のものであって、その内周面２に一又は複数の螺旋状に形成された突条３を有する。また、複合ケーブル１２は、線心挿通用パイプ１と複数の電力線心（主線材）１１とを集合させて撚り合わせるとともに、線心挿通用パイプ１を電力線心１１により生じる間隙に配置してなる。【選択図】    図２
2004309755.tif 000002
【特許請求の範囲】
【請求項１】
エア圧送方式により線心を挿通することが可能な中空形状の線心挿通用パイプであって、
内周面に一又は複数の螺旋状に形成された突条を有する
ことを特徴とする線心挿通用パイプ。
【請求項２】
請求項１に記載の線心挿通用パイプにおいて、
前記突条を断面視三角形状に形成する
ことを特徴とする線心挿通用パイプ。
【請求項３】
請求項１又は請求項２に記載の線心挿通用パイプと複数の主線材とを一体化させてなる
ことを特徴とする複合ケーブル。
【請求項４】
請求項１又は請求項２に記載の線心挿通用パイプと複数の主線材とを集合させて撚り合わせるとともに、前記線心挿通用パイプを前記主線材により生じる間隙に配置してなる
ことを特徴とする複合ケーブル。
【請求項５】
請求項１又は請求項２に記載の線心挿通用パイプと主線材とを並行に配列し、これら相互を一体化させてなる
ことを特徴とする複合ケーブル。
【発明の詳細な説明】
【０００１  】
【発明の属する技術分野】
本発明は、線心挿通用パイプと、その線心挿通用パイプを用いた複合ケーブルとに関し、特に、エア圧送方式により情報通信用の光ファイバーケーブル等を挿通する線心挿通用パイプと、その線心挿通用パイプを一体化した複合ケーブルとに関する。
【０００２  】
【従来の技術】
近年、配電用および電力用の電力ケーブルを情報通信用の光ファイバーケーブル等と撚りあわせた、複合ケーブルが多用されている。複合ケーブルは、将来の光心線数の追加に柔軟に対応できるように（例えばＦＴＴＨの進展を見込んで）、電力線心等と光ファイバー線等を挿通する線心挿通用パイプとを撚りあわせて一体化した構成になっている。複合ケーブルの製造に関しては、いわゆるエアブロン工法が用いられており、詳しくは本願発明者が発明し本願出願人が先に提案した下記特許文献１に記載されている。
【０００３  】
【特許文献１】
特開２００１−５７１１３号公報  （第２−４頁、第１−８図）
【０００４  】
【発明が解決しようとする課題】
ところで、複合ケーブルは建物内に布設されるため、線心挿通用パイプの屈曲箇所が多くなり、追加挿通される光ファイバー線等の挿通可能な長さにあっては、その限界が生じてしまっていた。また、複合ケーブルの布設後に、壁面や、一体化された主線材（電力ケーブル）によって、線心挿通用パイプの変形や著しい場合には圧壊が生じる恐れがあった。
【０００５  】
本発明は、上述した事情に鑑みてなされるもので、布設経路において屈曲箇所が多くなる場合でも良好な挿通特性を得ることが可能であって、また、機械的強度が向上する線心挿通用パイプ及び複合ケーブルを提供することを課題とする。
【０００６  】
【課題を解決するための手段】
上記課題を解決するためなされた請求項１記載の本発明の線心挿通用パイプは、エア圧送方式により線心を挿通することが可能な中空形状の線心挿通用パイプであって、内周面に一又は複数の螺旋状に形成された突条を有することを特徴としている。
【０００７  】
請求項２記載の本発明の線心挿通用パイプは、請求項１に記載の線心挿通用パイプにおいて、前記突条を断面視三角形状に形成することを特徴としている。
【０００８  】
請求項３記載の本発明の複合ケーブルは、請求項１又は請求項２に記載の線心挿通用パイプと複数の主線材とを一体化させてなることを特徴としている。
【０００９  】
請求項４記載の本発明の複合ケーブルは、請求項１又は請求項２に記載の線心挿通用パイプと複数の主線材とを集合させて撚り合わせるとともに、前記線心挿通用パイプを前記主線材により生じる間隙に配置してなることを特徴としている。
【００１０  】
請求項５記載の本発明の複合ケーブルは、請求項１又は請求項２に記載の線心挿通用パイプと主線材とを並行に配列し、これら相互を一体化させてなることを特徴としている。
【００１１  】
請求項１に記載された本発明によれば、線心挿通用パイプ内にケーブルが挿通されると、そのケーブルは螺旋状に形成された突条に接触する。挿通されるケーブルとの接触抵抗は、単なる内周面のみの場合と比べて減少する。また、線心挿通用パイプ内にエアが流されると、螺旋状に形成された突条によってスパイラルの気流が生じ、挿通されるケーブルはパイプ中心方向に浮上する。これにより接触抵抗が軽減される。さらに、突条は突出したすじであることから、その突条が螺旋状に形成（突出したすじが内周面を螺旋状に周回するように形成）されることによって線心挿通用パイプの強度が増大する。これにより布設後の線心挿通用パイプの変形や圧壊が防止される。
【００１２  】
請求項２に記載された本発明によれば、突条が断面視三角形状に形成されることから、挿通されるケーブルとの接触抵抗がより一層減少する。すなわち、挿通されるケーブルとの接触部分は、断面視三角形状に形成された突条の頂部になることから、その接触に係る抵抗がより一層減少する。
【００１３  】
請求項３に記載された本発明によれば、複合ケーブルは次のように構成されて提供される。すなわち、上記作用を有する線心挿通用パイプと複数の主線材とが一体化することにより複合ケーブルが構成され、そして提供される。また、請求項４に記載された本発明によれば、上記作用を有する線心挿通用パイプと複数の主線材とを集合させて撚り合わせることにより複合ケーブルが構成され、そして提供される。この時、線心挿通用パイプは複数の主線材により生じる間隙に配置される。さらに、請求項５に記載された本発明によれば、上記作用を有する線心挿通用パイプと主線材とが並行に配列され、これら相互が一体化することにより複合ケーブルが構成され、そして提供される。
【００１４  】
【発明の実施の形態】
以下、図面を参照して本発明の実施の形態を説明する。
図１は本発明の線心挿通用パイプの一実施の形態を示す図であり、（ａ）は断面図、（ｂ）は突条の形成状態を示す説明図である。また、図２は本発明による複合ケーブルの一実施の形態を示す断面図である。
【００１５  】
図１において、引用符号１は本発明に係る線心挿通用パイプを示している。その線心挿通用パイプ１は、合成樹脂製であって、中空形状に形成されている。また、線心挿通用パイプ１は、その内周面２に複数の突条３を有している。
【００１６  】
突条３は、中心方向に突出する「すじ」であって、線心挿通用パイプ１の長手方向に沿って形成されている。また、突条３は、線心挿通用パイプ１の内周面２を螺旋状に周回するように形成されている。本形態において、突条３は、所定の間隔を開け互いに隔離された状態で八つ形成されている。また、突条３は、本形態において断面視二等辺三角形状、若しくは正三角形状に形成されている（このような三角形状に限定されるものではないものとする。例えば逆Ｕ字状であってもよいものとする）。
【００１７  】
ここで、突条３を互いに隔離した状態に形成したのは、エアを圧送した場合に、エア圧送抵抗が増大しないように配慮したためである。尚、突条３の数は上記数に限られないものとする。すなわち、一つや二つであってもよいが、できれば三つ〜八つを等間隔で配列することが好ましいものとする（二つ以下では接触抵抗の低減及びスパイラルの気流の発生が小さい。また、八つを超えるとエアの圧送抵抗が増大してしまう恐れがある）。
【００１８  】
線心挿通用パイプ１は、挿通される光ファイバケーブルや通信線等のケーブル４（特許請求の範囲に記載した線心に相当）に対する摩擦に考慮して成形されている。また、線心挿通用パイプ１は、耐候性に配慮して成形されている。このような線心挿通用パイプ１は、既知のローテーションヘッド押出機を用いて製造されている。
【００１９  】
具体的には、ＰＥ材料及び耐燃材料又はビニル主材料及び可塑剤等とともにその所定量を押出機内部で混練りし、そして、混練りされた樹脂を回転機構を有する押出ヘッド内に流入し、溝付きダイ・ニップルを通過させることにより、所望の高さ・幅・断面形状の突条３を有する線心挿通用パイプ１が製造される。押出ヘッドは、外部モータからベルトを介して回転するため、突条３は上記長手方向に対して螺旋状（図１（ｂ）参照）に所望の間隔で形成される。
【００２０  】
以上、本発明に係る線心挿通用パイプ１は、次のような幾つかの効果を奏する。その一つ目としては、突条３を有する線心挿通用パイプ１とこれに挿通されるケーブル４との接触抵抗が、単なる内周面のみのパイプの場合と比べて減少する。従って、布設経路において屈曲箇所が多くなる場合であっても良好な挿通特性を得ることが可能になる。
【００２１  】
また、二つ目としては、エア圧送方式（いわゆるエアブロン工法：エアを吸引することによりケーブルを挿通させる）により線心挿通用パイプ１内にエアが流されると、螺旋状に形成された突条３によってスパイラルの気流が生じ、挿通されるケーブル４を線心挿通用パイプ１の中心方向に浮上させることができる。従って、接触抵抗を軽減することが可能になる。
【００２２  】
さらに、三つ目としては、突条３が断面視三角形状に形成されることから、挿通されるケーブル４を突条３の頂部において接触させることができる。従って、その接触に係る抵抗をより一層減少させることが可能になる。
【００２３  】
さらにまた、四つ目としては、突条３によって線心挿通用パイプ１の強度を単なるパイプの場合よりも増大させることができる。従って、布設後の線心挿通用パイプ１の変形や圧壊を防止することが可能になる。言い換えれば、機械的強度を向上させることが可能になる。
【００２４  】
尚、本発明に係る線心挿通用パイプ１は、単独で使用する場合の他、他のケーブル（例えばＤＶＲ（架空引込用ビニル絶縁電線撚り合わせ形）、ＣＶＴ（架橋ポリエチレン絶縁ビニルシースケーブルトリプレックス形）等）と一体化して複合することも可能である。以下、これについて説明する。
【００２５  】
図２において、ＤＶＲ又はＣＶＴとの複合の場合は、撚り合わせ機によって電力線心（主線材）１１と共に撚り合わせて、本発明に係る複合ケーブル１２が製造される。ここで、複合ケーブル１２の撚り合わせ工程においては、省力化の観点から電力線心（主線材）１１と線心挿通用パイプ１とを同時に撚り合わせて複合ケーブル１２を製造することが好ましいものとする（電力線心（主線材）１１を撚り合わせた後に、次工程として線心挿通用パイプ１のみを各電力線心（主線材）１１により生じる間隙に撚り込むことも可能である）。
【００２６  】
その他、通信ケーブル（ボタン電話ケーブルや同軸ケーブル等：主線材）との複合の場合は、その通信ケーブルと線心挿通用パイプ１とが並行に配列されて、これら相互が一体化することにより複合ケーブルが製造される。通信ケーブルと線心挿通用パイプ１とを一体化した複合ケーブルは、ここでは特に図示しないが、メガネ型に製造されることが好ましいものとする。
【００２７  】
続いて、図３を参照しながら線心挿通用パイプ及び複合ケーブルの他の例を説明する。図３（ａ）は線心挿通用パイプの他の例を示す斜視図、図３（ｂ）は複合ケーブルの他の例を示す斜視図である。
【００２８  】
図３（ａ）において、線心挿通用パイプ１′の外周面５には、本願発明者が発明し本願出願人が先に提案した前記特許文献１の螺旋状の凸条６が一体に形成されている（他の部分は、上述の線心挿通用パイプ１と同じ）。このような線心挿通用パイプ１′は、単独で使用することや、図３（ｂ）に示されるような複合ケーブル１２′として使用することが可能であるものとする。
【００２９  】
尚、上記凸条６がない場合、製造時や巻替え作業中または布設工事中に撚りあわせが緩んだり撚りあわせ力が弱くなると、主線材と線心挿通用パイプとが最密充填を保てなくなり、密着しているべき主線材間に間隙が生じて、線心挿通用パイプがその間隙に入り込んでしまうという不具合を生じてしまう恐れがある。上記凸条６はこれを解消することができる。
【００３０  】
その他、本発明は本発明の主旨を変えない範囲で種々変更実施可能なことは勿論である。
【００３１  】
【発明の効果】
以上説明したように、請求項１に記載された本発明によれば、布設経路において屈曲箇所が多くなる場合でも良好な挿通特性が得られる線心挿通用パイプを提供することができるという効果を奏する。また、機械的強度が向上する線心挿通用パイプを提供することができるという効果を奏する。
【００３２  】
請求項２に記載された本発明によれば、請求項１の発明の効果に加え次のような効果も奏する。すなわち、挿通されるケーブルとの接触抵抗をより一層減少させることができるという効果も奏する。
【００３３  】
請求項３、４、５に記載された各本発明によれば、良好な挿通特性が得られる複合ケーブルを提供することができるという効果を奏する。また、機械的強度が向上する複合ケーブルを提供することができるという効果を奏する。
【図面の簡単な説明】
【図１】本発明による線心挿通用パイプの一実施の形態を示す図であり、（ａ）は断面図、（ｂ）は突条の形成状態を示す説明図である。
【図２】本発明による複合ケーブルの一実施の形態を示す断面図である。
【図３】線心挿通用パイプ及び複合ケーブルの他の例を示す斜視図である。
【符号の説明】
１  線心挿通用パイプ
２  内周面
３  突条
４  ケーブル
１１  電力線心（主線材）
１２  複合ケーブル
【図１】
2004309755.tif 000003
【図２】
2004309755.tif 000004
【図３】
2004309755.tif 000005